(57)【要約】光システムにおけるファイバ接続管理を自動化するため、光システム内の各々のファイバ接続に固有の専用低ビットレート通信チャネルが設けられる。専用通信チャネルは、１つの光コンポーネントから他の光コンポーネントへのポート識別情報の交換をサポートし、その後で、処理によって、特定の接続が所望の結合であるかどうかを決定することによって、ファイバ接続管理を簡単にする。専用通信チャネルは、関連したカードのグループ又は光ネットワーク・リンクにおける全てのカードの間で光接続の監視をサポートする。このようにしてファイバ接続管理を自動化することは、光コンポーネントの間のファイバ接続が必要な結合であるかどうかを簡単に決定できるようにすることによって、将来の製品を改善するであろう。これは、特に、多くの相互接続デバイスを有する複雑な光環境、及び誤った接続のトラブルシューティングが時間を消費し、従って非常にコスト高となる場合に有用であろう。【選択図】図５
2004505542.tif 000002
【特許請求の範囲】
【請求項１】
相互接続された複数の光コンポーネントを含む光システムで第１の光コンポーネントと第２の光コンポーネントとの間のファイバ接続が正しいかどうかを検査する方法であって、
所定の接続モデルを処理エージェントに格納し、
前記第１の光コンポーネントにおいてポート識別メッセージを生成し、
前記第１の光コンポーネントから前記第２の光コンポーネントへ、ファイバ接続と並列に走る専用通信チャネルを介して、前記ポート識別メッセージを送信し、
前記第２の光コンポーネントで受け取られたポート識別メッセージと前記第２の光コンポーネントを識別する情報とを前記処理エージェントへ伝送し、
接続が正しいかどうかを決定するため、前記ポート識別メッセージと前記第２の光コンポーネントを識別する情報とを、前記処理エージェントに格納された所定の接続モデルと比較することによってチェックし、
正しい接続又は誤った接続を表示する
ことを含む方法。
【請求項２】
ファイバ接続と並列に走る前記専用通信チャネルは、ファイバ接続から分離された光ファイバ・リンクであることを特徴とする請求項１に記載の方法。
【請求項３】
ファイバ接続と並列に走る前記専用通信チャネルは、ファイバ接続の内部の特別の波長チャネルであることを特徴とする請求項１に記載の方法。
【請求項４】
前記第１の光コンポーネントから前記第２の光コンポーネントへ送信されたポート識別メッセージは、前記第１の光コンポーネントについて、コンポーネントのタイプ、コンポーネントの位置、ポート識別情報、コンポーネント・スロットの位置、及びネットワーク・エレメント識別情報（ＩＤ）などの情報を含むことを特徴とする請求項１に記載の方法。
【請求項５】
ファイバ接続と並列に走る前記専用通信チャネルは双方向性であることを特徴とする請求項１に記載の方法。
【請求項６】
前記処理エージェントは、前記第１又は前記第２の光コンポーネントの上に存在することを特徴とする請求項１に記載の方法。
【請求項７】
前記処理エージェントに格納された所定の接続モデルは、前もって準備されるか推論された接続予想のユーザ入力から生成されることを特徴とする請求項１に記載の方法。
【請求項８】
光システムにおける第１の光コンポーネントと第２の光コンポーネントとの間のファイバ接続が正しいかどうかを決定する光接続管理システムであって、
前記光システムの所定の接続モデルを記憶する処理エージェントと、
前記第１の光コンポーネントと前記第２の光コンポーネントとの間でファイバと並列に走る専用通信チャネルと、
前記第１の光コンポーネントに置かれ、専用通信チャネルを介して前記第２の光コンポーネントへポート識別メッセージを送信する光送信器と、
前記第２の光コンポーネントに置かれ、前記第１の光コンポーネントから送信されたポート識別メッセージを受け取る光受信器と、
第２の光コンポーネントで受け取られたポート識別メッセージと前記第２の光コンポーネントを識別する情報とを、処理のために前記処理エージェントへ送信する手段と、
正しい接続又は誤った接続を表示する手段と
を備えた光接続管理システム。
【請求項９】
前記第１の光コンポーネントと前記第２の光コンポーネントとの間の専用通信チャネルは、ファイバ接続から分離された光ファイバ・リンクであることを特徴とする請求項８に記載の光接続管理システム。
【請求項１０】
前記第１の光コンポーネントと前記第２の光コンポーネントとの間の専用通信チャネルは、ファイバ接続の内部の特別の波長チャネルであることを特徴とする請求項８に記載の光接続管理システム。
【請求項１１】
前記第１の光コンポーネントにおける送信器は、ＷＤＭカプラを有する光源を備え、
前記第２の光コンポーネントにおける受信器は、光検出器を有するＷＤＭフィルタを備えたことを特徴する請求項１０に記載の光接続管理システム。
【請求項１２】
前記第１の光コンポーネントと前記第２の光コンポーネントとの間の専用通信チャネルは双方向性であることを特徴とする請求項９に記載の光接続管理システム。
【請求項１３】
光システムの中で使用され、第１の光コンポーネントと第２の光コンポーネントとの間のファイバ接続が正しいかどうかを決定する処理エージェントであって、
前記光システムの所定の接続モデルを格納する手段と、
前記第１の光コンポーネントを識別するポート識別メッセージと前記第２の光コンポーネントを識別する情報とを、前記第２の光コンポーネントから受け取る手段と、
前記ポート識別メッセージと前記第２の光コンポーネントを識別する情報とを、所定の接続モデルと比較することによってチェックする手段と、
正しい接続又は誤った接続を表示する手段と
を含む処理エージェント。
【請求項１４】
相互接続された複数の光コンポーネントを含む光システムで第１の光コンポーネントと第２の光コンポーネントとの間のファイバ接続が正しいかどうかを検査する方法であって、
所定の接続モデルを処理エージェントに格納し、
ディザリングされた光信号を生成するため、前記第１の光コンポーネントから前記第２の光コンポーネントへ送信される光信号へディザを合波し、
ディザリングされた光信号を、前記第１の光コンポーネントから前記第２の光コンポーネントへファイバ接続を介して送信し、
ディザリングされた光信号を、前記第２の光コンポーネントで受け取り、
ディザリングされて前記第２の光コンポーネントで受け取られた光信号中に含まれるディザを検出し、
前記第２の光コンポーネントで検出されたディザと前記第２の光コンポーネントを識別する情報とを前記処理エージェントへ伝送し、
接続が正しいかどうかを決定するため、前記ディザと前記第２の光コンポーネントを識別する情報とを、前記処理エージェントに格納された所定の接続モデルと比較することによってチェックし、
正しい接続又は誤った接続を表示する
ことを含む方法。
【請求項１５】
前記ディザは、前記第２の光コンポーネントで干渉の弱めあいを利用することによってディザリングされた光信号から打ち消されることを特徴とする請求項１４に記載の方法。
【請求項１６】
前記干渉の弱めあいは、低損失かつ低減衰の装置によって実現されることを特徴とする請求項１５に記載の方法。
【請求項１７】
前記干渉の弱めあいは、光増幅器によって実現されることを特徴とする請求項１５に記載の方法。
【請求項１８】
前記処理エージェントは、前記第１及び前記第２の光コンポーネントから遠隔に置かれた制御ソフトウェアであることを特徴とする請求項１４に記載の方法。
【請求項１９】
前記処理エージェントは、電気的な背面配線接続を介して前記第１及び前記第２の光コンポーネントへ接続されることを特徴とする請求項１８に記載の方法。
【発明の詳細な説明】
【０００１】
【発明の属する技術分野】
本発明は、光接続管理に関し、更に具体的には、光システムにおける光接続を検査する方法及び装置に関する。
【０００２】
【従来の技術】
情報化時代の到来に伴って増大したネットワーク伝送容量に対する要求を満たすために、高密度波長分割多重（ｄｅｎｓｅ　ｗａｖｅｌｅｎｇｔｈ　ｄｉｖｉｓｉｏｎ　ｍｕｌｔｉｐｌｅｘｉｎｇ；ＤＷＤＭ）という技術を使用する高ビットレート光リンクが導入されている。通信業者は常に、ネットワーク伝送容量の最大化と、できるだけ多くの波長チャネルを１本の光ファイバに多重化することに努めている。
【０００３】
十分な帯域幅を持たない通信業者は、将来のディジタル・トラフィック量の激増に対処するため、より多くの伝送能力を要求し続けるものと思われる。この要求は、伝送レベルにおいては、各々が高ビットレート・チャネルである１００以上の波長を１本の光ファイバ上に伝搬させるＤＷＤＭによって満たされるように思われる。このような多重波長ファイバが多数、所定のネットワーク・エレメント・ノードを通過することを考えると、そのノードに位置するネットワーク機器にもまた、そのような伝送能力が必要となる。
【０００４】
現在、光ファイバネットワークのノードは、特定のアプリケーションに対し、コスト抑制、信頼性、及び帯域幅管理という種々の目的を達成するために、必要に応じて異なったネットワーク・トポロジごとに構成されている。構成するネットワーク機器としては、ポイント・ツー・ポイント端末、サバイバブル・リング・ノード、線形光分岐挿入装置（ｌｉｎｅａｒ ＡＤＭ）、光ハブ、再生中継器、及び光増幅器などが挙げられる。ネットワークが適正に機能するためには、各機器は、正しく設置されかつそれぞれのコンポーネントの間で正確に光接続されなければならない。更に、時間と共に変化するニーズに応えるため、ネットワーク・エレメント・ノード内の機器は、定期的に、より先進的なものにアップグレードされるか、増大したシステム能力要件をサポートするように再構成される必要がある。
【０００５】
ネットワーク・エレメントの構造は、図１に示されるような一般的な「ベイ／シェルフ」機器レイアウトを採用することで、様々なネットワーク・トポロジをサポートする。図を見てわかるように、ネットワーク・エレメント・ベイ（ノード）は、典型的には、モジュラ・コンポーネント、即ち、要求された能力を配備し、かつその後で必要に応じて拡張することが容易なシェルフとプラグイン回路パックから構築される。所望のトポロジは、ネットワーク・エレメント・ベイのシェルフ内で、回路パック（又はカード）の特別な配置として物理的に構築される。このモジュラ構造は、過剰な設備なしで、各配備位置の特別な要求に応じた各々のネットワーク・エレメントを構成することを容易にする。その一方で、新しい能力が必要になったり新しい機能が開発された際にもアップグレードや拡張を容易にする。従って、あるタイプのネットワーク・エレメントから他のネットワーク・エレメントへのアップグレードは、ベイ又はシェルフ全体を置き換えることなく容易に達成される。
【０００６】
ネットワーク・エレメントの設置、アップグレード、及び再構成は、一般的に、個々の回路パックの追加又は再配置によって達成される。このようなアップグレードは、光増幅器製品では通常行われており、例えば、所定のシステムが収容することのできる波長数を増加させることで、目的としていた光パワーの増幅を達成する（多くの場合）。
【０００７】
具体的には、光増幅器製品の場合、増幅器回路パック群によってサポートされる波長数は、一般的に、ＤＷＤＭネットワーク・トポロジに依存する。例えば、波長が主トラフィックフローに合波する位置又は主トラフィックフローから分波する位置にある回線終端装置（ＬＴＥ）において、光増幅の簡単化かつ低コスト化へのアプローチは、図２ａに示されるようなデュアル増幅器構成を使用することである。ここで、一つの増幅器グループは、デュアルＯＳＣ（ｏｐｔｉｃａｌ ｓｅｒｖｉｃｅ ｃｈａｎｎｅｌ）カードに接続されたデュアル増幅器カードから構成される。これら回路カード（又はパック）の二重性は、伝送ネットワークのトラフィック（データ）が本来有している双方向フローのために生じる。
【０００８】
図２ｂにアップグレード構成を示す。このアップグレード構成では、より多くの光パワーを出射するためにデュアル増幅器の各々の出力にブースタ増幅器が追加されている。これにより、システムが収容可能な波長数が増加される。一般的には、システムが要求するパワーに応じて、異なったパワー（すなわち、異なった数の励起レーザ）のブースタ増幅器を用いることができる。そのようなアップグレードを物理的に容易にするため、典型的には増幅器グループの端にスペースが残される。これは、増幅器グループ（例えば、デュアルＯＳＣ回路パックとデュアル増幅器回路パック）がブースタ増幅器でアップグレードされることを予期したものである。
【０００９】
同様に、低コストで実現される線路増幅器（ＬＡ）は、図３ａのデュアル増幅器構成を備える。ＬＡでは、光信号を電気的に再生中継しないし、波長も合波又は分波されない。図３ｂを見て分かるように、出射パワー、すなわち収容可能な波長数を増加させるために、再度、ブースタ増幅器を用いることもできる。サポート対象となった新たな波長数に応じて、ブースタ増幅器の異なったレベル（即ち、励起光の数）を追加することもできる。
【００１０】
さらに、分散補償、波長等化、又は光分岐挿入多重化のようなよく知られたネットワーク・ハウスキーピング・テクニックを実現するために、線路増幅器は、通常、或る形式のミドステージ・アクセス（ｍｉｄ−ｓｔａｇｅ　ａｃｃｅｓｓ；ＭＳＡ）能力を提供する。このＭＳＡ能力を利用する線路増幅器配置の例を、図３ｃに示す。図３ｃでは、分散補償モジュール（ｄｉｓｐｅｒｓｉｏｎ　ｃｏｍｐｅｎｓａｔｉｏｎ　ｍｏｄｕｌｅ；ＤＣＭ）が図３ｂのシステムに追加されている。
【００１１】
【発明が解決しようとする課題】
次世代の製品が、展開される波長数に関してスケーラビリティを提供する異なったネットワーク・エレメント・トポロジをサポートするために、モジュラ様式で動作しなければならないことは明らかである。理解されるように、アップグレード又は再配置は、変更されなければならない各々の回路カードの間に、必然的にファイバ接続を生じる。従来までは、あるネットワーク・エレメント・ノードにおいてファイバを介して接続されるカード（回路パック）同士の結合は手作業で行う必要があるために、設置担当者（技術員）が派遣されていた。しかし、ネットワーク・エレメント・ノードにおける光接続密度は、たえず増加しており、その結果、ますます複雑になっている。従って、そのようなシステムにおけるファイバ接続は、設置エラーを生じやすい。急増するネットワーク能力の要求をサポートするためにシステムが複雑になるにつれて、接続ミスの重要性は高まり、ネットワーク管理のサポートを増大させる必要がある。
【００１２】
従って、関連したカードのグループ内又は光ネットワーク・リンク内で、全てのカード・ツー・カード光接続に対し、光接続監視の或る方式を提供することは、光接続がますます複雑になるにつれて重要になっている。接続及び／又は接続ミスを識別し、これらの接続が、実際に、所望の結合であることを検査する方法は、設置時間を短縮し、システム・アップグレードを実行するために必須であると思われる。監視を行い、警告を出し、故障箇所を特定し、メンテナンスを容易にする方法は、将来のシステムの効果的な実現と機能にとって重要である。
【００１３】
【課題を解決するための手段】
本発明は、光システムのファイバ接続管理を自動化する方法を提供する。その進歩的な方法は、光システムの各ファイバ接続に固有の専用の低ビットレート通信チャネルを提供することを含む。この専用通信チャネルの目的は、２つのカード間のファイバ接続に関する情報をシステムへ提供すること、システム内のファイバ接続を有効にすること、および光デバイス間の特定の接続が所望の結合であることを保証することによって、ファイバ接続管理を簡単にすることである。本発明の専用通信チャネルは、関連したカードのグループ内又は光ネットワーク・リンク内で、全てのカード・ツー・カード光接続の監視をサポートする。
【００１４】
本発明の第１の形態によれば、第１の光コンポーネントで生成されたポート識別メッセージが、波長分割多重（ＷＤＭ）技術を用いることによって、ファイバ接続を介して第２の光コンポーネントへと送られる。受け取られたポート識別メッセージは、第２の光コンポーネントを識別する情報と一緒に、処理のためにエージェントへ送られる。エージェントは、この情報を所定の接続モデルと比較することによりチェックし、ファイバ接続が所望の結合であるかどうかを決定する。
【００１５】
本発明の第２の形態によれば、第１の光コンポーネントで生成されたポート識別メッセージが、ファイバ接続と並列の別個の光リンクを介して第２の光コンポーネントへ送られるという帯域外の配置が使用されてもよい。その場合、ポート識別メッセージ及び第２の光コンポーネントを識別する情報は、ファイバ接続が所望の結合であるかどうかを決定するために処理される。
【００１６】
本発明の第３の形態によれば、ファイバ接続の検査は、第１の光コンポーネントからファイバ接続を介して第２の光コンポーネントへ送信されている光信号へ固有のディザを印加することによって達成することもできる。ディザは、第２の光コンポーネントで検出され、処理のためにエージェントへ送られ、ファイバ接続の有効性が決定される。
【００１７】
現在、光学的に接続されるデバイス間のインタフェースは手作業で構築されているため、設置エラーを起こしやすい。本発明にかかるファイバ接続管理によって、ファイバ接続の確認プロセスが単純化され、かつ光デバイス間の特定の接続が実際に必要な結合であるということが保証される。そして、これにより将来の製品が改善される。本発明は、多くの相互接続デバイスを有する複雑な光環境において、また欠陥接続のトラブルシューティングに時間がかかることで結局かなりのコスト高になる場合において、特に有用である。
【００１８】
本発明の他の形態及び特徴は、本発明の特別な実施形態である以下の説明を添付の図面とともにレビューすることにより、当業者にとって明らかとなるだろう。
【００１９】
【発明の実施の形態】
光システムが多数のサブシステムへ分解される際、それらサブシステム間のファイバ接続は設置エラーを起こしやすい。設置担当者（又は技術員）は、一般的に、ファイバを介して接続される２つのコンポーネント（又は回路パック）の間の結合、例えば、ＯＳＣカードと増幅器カードとの間の接続を、手作業で構築しなければならない。システムがますます複雑になり、相互接続密度が絶えず増加している背景において、欠陥接続のトラブルシューティングは、技術員にとって面倒な仕事となる。本発明は、光ネットワークにおけるファイバ接続管理を簡単にすることを目的とする。
【００２０】
本発明は、光システム内で接続される全てのデバイスに使用されることが望ましい。例として、図４に、光増幅器製品を採用する光システムの一部分を示す。これは、単に、図２ｂの上位概念的なブロック表現であり、回線終端装置（ＬＴＥ）における典型的な配置である。ここでは、１本のファイバ上で単方向性トラフィック・フローが実現されるものとする。
【００２１】
往路（上方）を考えると、複数の入力光波長４００が、マルチプレクサ４０２の中へ送り込まれる。マルチプレクサの出力は、多重化された信号をブーストするため一連の増幅器４０４を介して伝搬される。更に、分散補償、波長等化、及び光挿入分岐多重化のような普通のネットワーク・プラクティスを可能にするため、図示されるようにミドステージ・アクセス（ＭＳＡ）能力４０６を含めてもよい。更に、ＯＳＣカード４０８は、接続４２０を介して増幅器４０４へ接続され、運用、管理、保守、及び設備提供（ＯＡＭ＆Ｐ）機能を光ネットワークへ提供する。同様に、復路（下方）は、ミドステージ・アクセス能力４０６を有する一連の増幅器４０４から構成され、複数の出力光波長４３０を生成するデマルチプレクサ４１０で終端する。
【００２２】
本発明は、図４で示されるような全ての光ファイバ接続へ適用することができる。具体的には、増幅器−ＯＳＣカード接続４２０、増幅器−マルチプレクサ接続４２６又は増幅器−ディマルチプレクサ接続４２８、及び増幅器−ミドステージ・アクセス（ＭＳＡ）エレメント接続４２４は、全て光接続管理のために或るタイプのメカニズムを必要とする。なお、増幅器−ＯＳＣカード接続４２０は、ライブのトラフィックを搬送しない光路を示すが、接続の残りの部分はライブのトラフィックを搬送する経路を定義する。
【００２３】
本発明は、一種の改善された光接続機能に関連する。この機能は、光システム内の各々のファイバ接続に関連した専用の低ビットレート通信チャネルを提供するように意図されている。この機能は、ますます複雑になる光接続にとって重要となる。以下の説明から明らかになるように、本発明は、光ネットワーク内のファイバ接続管理を簡単にする。
【００２４】
図５は、本発明の「帯域内」形態を説明する図である。「帯域内」形態は、増幅器回路パック５０２とデュアルＯＳＣ（ｏｐｔｉｃａｌ　ｓｅｒｖｉｃｅ　ｃｈａｎｎｅｌ）回路パック５３０との間のファイバ接続を検査する形態である。この配置は、例えば、図４の増幅器−ＯＳＣカード接続４２０に対応する。増幅器回路パック５０２は、エルビウム添加ファイバ増幅器（ＥＤＦＡ）のような光増幅器５０６を備えている。増幅器５０６の入力側には、ＯＳＣ分波フィルタ５０４が設けられる。ＯＳＣ分波フィルタ５０４は、増幅器回路パック５０２の外面に位置した光ポート５１８へ接続される。ＯＳＣ合波フィルタ５０８は、増幅器５０６の出力端に設けられ、光ポート５２４へ接続される。更に、増幅器回路パック（又はカード）５０２の外面には、入力（回線イン）光コネクタ５０１及び出力（回線アウト）光コネクタ５０３が設けられる。
【００２５】
デュアルＯＳＣ回路パック５３０は、ＯＳＣ送信器（Ｔｘ）５４２及びＯＳＣ受信器（Ｒｘ）５３６を有する。ＯＳＣ受信器５３６は光ポート５２０に接続される。同様に、ＯＳＣ送信器５４２は光ポート５２６に接続される。処理エージェント５００は、更に、「ｅ」と付された破線によって示される電気的な背面配線接続を介して、増幅器回路パック５０２とデュアルＯＳＣ回路パック５３０の双方に接続される。
【００２６】
増幅器回路パック５０２内のＯＳＣ分波フィルタ５０４は、入射光トラフィックからＯＳＣ信号を抽出して、そのＯＳＣ信号を光ポート５１８へ導き、デュアルＯＳＣ回路パック５３０のＯＳＣ受信器５３６へ伝送する。他方、ＯＳＣ合波フィルタ５０８は、増幅器回路パック５０２の光ポート５２４で受け取ったＯＳＣ信号を、出力ポート５０３を介して送信される出射光トラフィックに結合させる。
【００２７】
増幅器回路パック５０２は、ポート５１８をポート５２０へ接続する光ファイバ・リンク５２２と、ポート５２４をポート５２６へ接続する光ファイバ・リンク５２８とを介して、デュアルＯＳＣ回路パック５３０に接続される。光ファイバ・リンク５２２は、ＯＳＣ分波フィルタ５０４からＯＳＣ受信器５３６への接続を果たし、光ファイバ・リンク５２８は、ＯＳＣ送信器５４２からＯＳＣ合波フィルタ５０８への接続を果たす。
【００２８】
本発明の第１の実施形態にかかる光接続管理を容易にするため、増幅器回路パック５０２は、更に、１３１０ｎｍ送信器（Ｔｘ）５１０及びそれに対応したＷＤＭカプラ５１２、並びにＷＤＭフィルタ５１４とそれに対応した受信器（Ｒｘ）５１６を備えている。同様に、デュアルＯＳＣ回路パック５３０は、１３１０ｎｍ送信器（Ｔｘ）５３８及びそれに対応したＷＤＭカプラ５４０、並びにＷＤＭフィルタ５３２及びそれに対応した受信器（Ｒｘ）５３４を有する。
【００２９】
増幅器回路パック５０２において、ＷＤＭカプラ５１２は、その１３１０ｎｍ送信器５１０からの出力を、ＯＳＣ分波フィルタ５０４で分波された光ポート５１８に向かうＯＳＣ信号に結合させる。デュアルＯＳＣ回路パック５３０において、ＷＤＭフィルタ５３２は、ポート５１８からポート５２０へ送信された結合信号の１３１０ｎｍ部分を抽出し、検出のためにそれを１３１０ｎｍ受信器５３４へ引き渡す。同じ方法が、デュアルＯＳＣ回路パック５３０におけるＷＤＭカプラ５４０に対応した１３１０ｎｍ送信器５３８、及び増幅器回路パック５０２における１３１０ｎｍ受信器５１６に対応したＷＤＭフィルタ５１４に対して適用される。
【００３０】
本発明は、様々な光コンポーネント間で行なわれた物理接続を識別し、これらの接続が実際に所望の結合であることを検査しようとする。例えば、図５に関しては、ポート５１８からポート５２０、及びポート５２４からポート５２６へのファイバ接続５２２及び５２８が、それぞれ、ネットワーク・エレメントの或る所定のモデルに基づいて有効かどうかを決定する方法を提供することを目的としている。
【００３１】
光接続管理プロセスは、前もって準備されるか推論された接続予想をユーザが処理エージェント５００へ入力することによって開始される（プロセスＢ）。前もって準備されるか推論された接続予想は、ネットワーク・エレメントのアプリケーション特定要求によって決定される。いずれの場合も、十分な情報がエージェントへ提供され、エージェントは、不揮発性メモリに記憶される所定の接続モデルを構築する。例えば、前もって準備される接続予想は表形式を取ってよい。この表は、カードのタイプ、カードの位置、ポートの識別情報（ＩＤ）、カード・スロットの位置、及びネットワーク・エレメントＩＤの関数として、所望のトポロジを必要な接続へマップする。
【００３２】
処理エージェント５００は、全体のネットワーク・エレメントのために光接続を管理し、好ましくは、或る形式の制御ソフトウェア、及び必要なプロセッサ複合体（即ち、ＣＰＵ、メモリ、不揮発性メモリ、通信ポート、及び他の必要なハードウェア）によって実現される。エージェント５００は、設計の要件に従って、１つ又は複数の回路パック、及びそれらに関連したプロセッサの組合せの上に存在してもよい。エージェント５００は、前もって準備又は推論された接続予想のユーザ入力に基づいて、ネットワーク・エレメントの「個性」を確立する。更に、エージェント５００は、個々の回路パックから受け取られた情報を処理し（各々のファイバ接続の有効性を決定するため）、ユーザ出力インタフェースを介して遠隔的及びローカル的に、結果を接続ごとに表示する。
【００３３】
例としてポート５２６から５２４への接続を取ると、デュアルＯＳＣ回路パック５３０上で、ポート５２６のポート識別（ＩＤ）メッセージが１３１０ｎｍ送信器（Ｔｘ）５３８によって生成される（プロセスＣ）。ポートＩＤメッセージは、少なくとも次の情報、即ち、カードのタイプ、カードの位置、ポートの識別情報、カード・スロットの位置、及びネットワーク・エレメント（ＮＥ）の識別情報を含む。ＷＤＭカプラ５４０を使用することによって、ポートＩＤメッセージは、標準のＯＳＣ信号と一緒に、デュアルＯＳＣカード５３０上のポート５２６からファイバ接続５２８に沿って増幅器カード５０２上のポート５２４へ送信される。
【００３４】
増幅器回路パック５０２において、ポートＩＤメッセージは、ＷＤＭフィルタ５１４及び１３１０ｎｍ受信器（Ｒｘ）５１６を介してＯＳＣ信号から抽出される（プロセスＤ）。この情報は、考慮されている２つのポートの間の光接続を完全に指定するため、ポート５２４を識別する情報と共に処理エージェント５００へ提供されなければならない。具体的には、増幅器回路パック５０２で、自己識別情報（カード、ポート、スロットなど）、及び増幅器回路パック５０２によって受け取られた接続情報（ポートＩＤメッセージ）を含む合成メッセージが形成される。この合成メッセージは、背面配線接続「ｅ」を介して処理エージェント５００へ送られる（プロセスＥ）。合成メッセージによって指定された光接続は、エージェント５００の中に記憶された接続モデルと比較することによってチェックされ（ローカル的又はリモート的に）、接続を正しいものと確認することができる。ハードウェアが適切な通信路をサポートする場合、誤った接続が識別され、ユーザ出力インタフェースを介して警告されることができる。いずれにせよ、確認がなされたとき、接続が正しいことの確証がない場合、それは接続の試行が正しくないことを示す。このようにして、各々のファイバ接続の検査が接続ごとに実行される。更に、一度、有効なファイバ接続がなされると、その情報は、ネットワークエレメントの接続マップを構築する接続援助ツールへ渡すこともできる。
【００３５】
ポート５１８とポート５２０との間の接続を検査するため、同じ方法を適用することができる。しかし、この場合、ＯＳＣ信号の伝送方向と首尾一貫性をもたせるため、１３１０ｎｍ送信器（Ｔｘ）５１０は増幅器回路パック５０２の上に置かれ、それに対応した１３１０ｎｍ受信器（Ｒｘ）５３４はデュアルＯＳＣ回路パック５３０の上に置かれる。
【００３６】
前述したユーザ出力インタフェースは、正しい接続を確認するか誤った接続を警報するため、ユーザ（又は技術員）が見ることのできる適切な表示手段を備えてもよい。例えば、小型で安価なＬＥＤを、所与の回路パックの各々のポートに置くことができる。適切なエレクトロニクスを使用して、ユーザ・フィードバックの１つ又は複数のタイプを提供するため、異なった様式で発光するようにＬＥＤを形成してもよい。例えば、ＬＥＤは、そのポートへの接続が無効又は欠けている限り明滅状態に留まるように作られてよい。一度、有効なポート接続がなされると、有効なファイバ接続を示すようにＬＥＤは消灯させることができる。当業者が理解できるように、これは、多くの可能な表示スキームの１つにすぎず、例示を目的としてのみ説明されている。多くの他の可能性又はバリエーションを採用することが可能である。
【００３７】
図６は、前の例と同じような増幅器回路パック６０２とデュアルＯＳＣ回路パック６３０との間のファイバ接続を検査する本発明の「帯域外」実現形態を示す。従って、基本的構成は、図５の構成と非常に類似している。デュアルＯＳＣ回路パック６３０は、ＯＳＣ送信器（Ｔｘ）６４４及びＯＳＣ受信器（Ｒｘ）６４６を含む。増幅器回路パック６０２は、光増幅器６０６の前に設けられたＯＳＣ分波フィルタ６０４、及び増幅器６０６の後に設けられたＯＳＣ合波フィルタ６０８を備えている。
【００３８】
ＯＳＣ送信器６４４からＯＳＣ合波フィルタ６０８への接続を果たすため、ファイバ接続６２６は、デュアルＯＳＣ回路パック上のポート６３６を、増幅器回路パック６０２上のポート６２０へ接続する。同様に、ファイバ接続６２４は、ＯＳＣ分波フィルタ６０４からＯＳＣ受信器６４６への接続を果たすため、増幅器回路パック６０２上のポート６１６を、デュアルＯＳＣ回路パック６３０上のポート６３４へ接続する。この実現形態の目的は、再び、ポートごとの適切な接続が確立されたか、即ち、増幅器回路パック６０２上のポート６１６が、デュアルＯＳＣ回路パック６３０上のポート６３４へ接続され、デュアルＯＳＣ回路パック６３０上のポート６３６が増幅器回路パック６０２上のポート６２０へ接続されたことを検査することである。しかし、この実現形態において、１つの回路パックから他の回路パックへのポートＩＤメッセージの送信は、システム内の各々のファイバ接続と並列の別個の物理リンクを介してサポートされる。
【００３９】
例としてファイバ接続６２６を取ると、１３１０ｎｍ送信器（Ｔｘ）又は受信器（Ｒｘ）６４２が、デュアルＯＳＣ回路パック６３０に設けられ、光ポート６３８へ接続される。それに対応する１３１０ｎｍ受信器（Ｒｘ）又は送信器（Ｔｘ）６１２は、増幅器回路パック６０２に設けられ、光ポート６１８へ接続される。１つの回路パックから他の回路パックへのポートＩＤメッセージの伝送は、ファイバ接続６２６と並列に走る別個の光リンク６２８を介してサポートされる。光リンク６２８は、光ポート６１８をポート６３８へ接続する。キー付きデュアルファイバ相互接続システム（即ち、１つのジャケットの中に２つの光ファイバがパッケージされる）を使用して、並列ファイバ・リンク６２８をユーザから見えないようにすることができる。この特別の実現形態に従った対のファイバ接続を確立するのに適したキー付き光コネクタ・タイプを有するシステムの２つの例は、ＭＴ−ＲＪ及びＳＣＤＣ相互接続システムである。これらの２つの相互接続システムは、対のファイバ接続がこの実現形態でどのように実現されるかの２つの例にすぎず、当業者は、様々な他の方法が可能であることを理解するであろう。最後に、ファイバ接続６２４のために同様な配置が存在する。ファイバ接続６２４は、並列に走っている別個の光リンク６２２を有し、光リンク６２２は、増幅器回路パック６０２上のポート６１４をデュアルＯＳＣ回路パック６３０上のポート６３２へ接続する。
【００４０】
この実施形態において、接続管理は、再び、ユーザが、前もって準備された接続予想を処理エージェント６００へ入力することによって開始される（プロセスＢ）。しかし、この場合、ファイバ接続６２６のポート６３６又は６２０を識別するポートＩＤメッセージは、別個の光リンク６２８に沿って１３１０ｎｍ送信器（Ｔｘ）６４２又は６１２から送られ、それに対応した１３１０ｎｍ受信器（Ｒｘ）６１２又は６４２で受け取られる。この情報は、受信器（Ｒｘ）６１２又は６４２に対応するポート６２０又は６３６の自己識別情報（ポート、カード、スロットなど）と共に、背面配線接続「ｅ」を介してエージェント６００へ送られる（プロセスＥ）。エージェント６００は、情報を処理し、結果をユーザへ通知する。即ち、情報は、接続モデルと比較することによってチェックされ、接続が承認されるか誤りであるとして警告される（プロセスＦ）。特定の接続状況をユーザへ表示するため、適切な表示手段、例えば、図５の実現形態で説明された表示手段が再び使用されてよい。更に、一度、有効なポート接続がなされると、情報は、ネットワークエレメントの接続マップを構築する接続援助ツールへ渡されてよい。
【００４１】
注意すべきは、この実施形態において、各々のファイバ接続に対する接続管理は、別個の光リンクを介して実現されるので、ポートＩＤメッセージの伝送方向はどうでもよいことである。即ち、所与のポートの情報は、どちらかの回路パックで生成されてよく、それは他の回路パックへ送信されることができる。必要な全てのことは、単に１３１０ｎｍ送信器（Ｔｘ）が光リンクの一端に設けられ、それに対応した受信器（Ｒｘ）が他端に設けられることである。例えば、図６の光リンク６２８に関しては、デュアルＯＳＣ回路パック６３０が送信器（Ｔｘ）６４２を含んでよく、それに対応した受信器（Ｒｘ）６１２が増幅器回路パック６０２に置かれてよい。その逆も許される。同じことが、ポート６３２とポート６１４との間の光リンク６２２に適用される。
【００４２】
当業者は、本発明のこの実施形態に従ったシステムの各々のファイバ接続に関連した別個の物理リンクが、必ずしも光学的性質を有しなくてもよいことを理解するであろう。例えば、別個の電気的リンク（例えば、ツイストペア銅線）が各々のファイバ接続に固有に関連付けられるように、光と電気との組み合わせ態様を採用することもできる。この場合、１３１０ｎｍ送信器及び受信器は、それらの電気的に対等な装置によって置き換えられる。
【００４３】
図７は、ＯＳＣカード７０２のＴｘモジュールと、増幅器カード７０６の対応する受信器部分との間の接続に適用された本発明の代替の「帯域内」実現形態を示す。ＯＳＣカード７０２は、今や、ＯＳＣカード７０２の外部に置かれた光送信器（Ｔｘ）部分７１０へ接続されるディザ・コントローラ７０４を備える。ＯＳＣ送信器（Ｔｘ）部分７１０は、他の光コンポーネントへ接続を提供する。　増幅器カード７０６は、フォトダイオード７０８へ接続されるタップ・カプラ７０７を含む。フォトダイオード７０８は、ディザ検出器７１２へ接続される。増幅器カード７０６は、更に、入力（回線イン）ポート７０１、出力（回線アウト）ポート７０３、及び光ポート７１４を備える。光ポート７１４は、接続を他の光コンポーネントへ提供する。従って、ＯＳＣカード７０２は、ファイバ接続７１８を介して増幅器カード７０６へ接続される。ファイバ接続７１８は、ＯＳＣカード７０２上の送信器（Ｔｘ）部分７１０を増幅器カード７０６上の光ポート７１４へ接続する。最後に、前の実現形態と同じように処理エージェント７００が提供される。処理エージェント７００は、前と同じように、破線「ｅ」によって示される電気的な背面配線接続を介してカード７０２及び７０６の双方へ接続される。
【００４４】
前の実現形態と同じように、ここでの目的は、ＯＳＣ送信器（Ｔｘ）部分７１０と増幅器カード７０６上の光ポート７１４との間のファイバ接続７１８が所望の結合であることを検査することである。しかし、この代替の「帯域内」実現では、光接続管理は、これから説明するように、パフォーマンスに影響を及ぼすことなく、光コンポーネント（又はカード）の間の、根底にあるアクティブ伝送を修正することによって実現される。
【００４５】
図７を参照すると、光接続管理は、ユーザが、前もって準備されるか推論される接続予想を処理エージェント７００へ入力することによって開始される（プロセスＢ）。処理エージェント７００は、それに応答して、電気的な背面配線接続「ｅ」を介してＯＳＣカード７０２へメッセージを送る。このメッセージは、ＯＳＣ送信器（図示されていない）で生成された光信号（例えば、ＯＳＣ信号）へ小さなディザ信号を合波するようにディザ・コントローラ７０４へ命令する。ディザリングとは、光信号の低レベル（１〜１０％）変調を意味する。光信号のディザリング手法は、当技術分野でよく知られており、ここでは詳細な説明をしない。いずれにせよ、特有のディザ・コード（又は、特別の変調フォーマット）が、ＯＳＣ送信器で生成された光信号へ印加される。これは、例えば、低損失、低減衰、偏光無依存性の減衰器を使用して達成することができる。
【００４６】
ディザリングされた光信号は、ＯＳＣカード７０２の送信器（Ｔｘ）ポート７１０から出て、ファイバ接続７１８を介して、増幅器カード７０６の光ポート７１４へ送信される。それは、受け取られたＯＳＣ信号の一部分をタップオフし、ディザ検出器７１２へ接続されたフォトダイオード７０８へ送るためである。増幅器カード７０６において、ディザリングされた光信号の一部分は、フォトダイオード７０８へタップオフされ、フォトダイオード７０８は、それをディザ検出器７１２へ送る（プロセスＤ）。検出された後、ディザ情報は、電気バックプレーン接続「ｅ」を介して処理エージェント７００へ送られる（プロセスＥ）。前の実施形態と同じように、エージェント７００は情報を処理し、適切な表示手段を使用して結果をユーザへ通知する。
【００４７】
ディザリング手法は、接続が有効か無効かを接続ごとに検査することによって、光接続の監視を実行する。具体的には、処理エージェント７００は、ＯＳＣ送信器で生成された光信号へ小さなディザを合波するように、ＯＳＣカード７０２のディザ・コントローラ７０４へメッセージを送る。増幅器カード７０６において、ディザ検出器７１２によって抽出された情報は、処理のためにエージェント７００へ送られる。もしディザ検出器７１２からの情報が、格納された接続モデル内の特定の接続のディザ・パターン（又はコード）とマッチすれば、ファイバ接続は有効なものとして確証される。
【００４８】
処理エージェント７００は、（前もって準備されるか推論された接続予想を受け取るための）ユーザ入力インタフェース及び（ユーザへの接続を検査するため）ユーザ出力インタフェースの双方へリンクされる。もし接続が有効であると決定されるならば（即ち、それは所望の結合である）、処理エージェント７００は、正しい接続がなされたことをユーザに通知するようにユーザ出力インタフェース上の適切な表示手段を働かせる。しかし、もし特定の接続が無効であるか欠けていれば、処理エージェントは、意図された接続がまだ完了していないことを表示するようにユーザ出力インタフェースを働かせる。
【００４９】
図７に示される実現形態において、ディザリングされた光信号はそのまま残され、下流の機器、例えば、増幅器カード７０６で受け取られた光信号からディザを取り消すか除去する試みは行なわれない。そのような状況では、ディザは、標準の手法、例えば、機器相関又は直交シグナリングを介して処理されることができる。例えば、下流の機器の各々がディザを検出し、システム・エージェントが、各々の下流の機器における信号の存在を、その搬送波によってたどられた経路と相関づけてよい。直交シグナリングの場合、ディザ・コードを十分異なるように作成し、殆ど又は全く他の信号からの漏話を生じないように、電気的フィルタリング又はディジタル信号処理によって独特及び明瞭に検出することができる。検出プロセスは、時間領域パターン・マッチング（相関）手法又は周波数領域手法、例えば、フィルタリングのいずれかを採用してよい。あるいは、ディザは、この後の実施形態で説明されるように、低損失、低減衰デバイスの助けによってもたらされる干渉の弱めあいを利用して、下流の機器で受け取られた光信号から打ち消されることができる。
【００５０】
図８は、ディザリング手法を使用して２つの増幅器製品の間に接続管理を提供する本発明の追加の「帯域内」実現形態を示す。再び、ここでのアイデアは、パフォーマンスに顕著な影響を与えることなく、根底のアクティブ伝送を修正することである。
【００５１】
第１の増幅モジュール８０２はディザ・コントローラ８０４を含む。ディザ・コントローラ８０４の出力は、それぞれの光増幅器８０８の励起コントローラ８０６へ入る。増幅器８０８の出力はフォトダイオード８１０へタップオフされ、フォトダイオード８１０はディザ・コントローラ８０４へフィードバックを提供する。第２の増幅モジュール８１８は、ディザ検出器８２４へ接続されるフォトダイオード８２２を含む。ディザ検出器８２４は、更に、ディザ・コントローラ８２６へ接続される。ディザ・コントローラ８２６の出力は、光増幅器８３２の励起コントローラ８３０へ入る。増幅モジュール８０２の出力ポート８１４は、ファイバ接続８１２を介して増幅モジュール８１８の入力ポート８１６へ接続される。前述した全ての例と同じように、問題となる双方の光コンポーネントは、電気的な背面配線接続「ｅ」を介して、処理エージェント８００へ接続される。
【００５２】
図８に示された実現形態は、ユーザが、前もって準備されるか推論される接続予想をエージェント８００へ入力することから開始される（プロセスＢ）。エージェント８００は、ポンプ・コントローラ（レーザ）８０６をディザリングするため、その背面配線接続「ｅ」を介して増幅モジュール８０２のディザ・コントローラ８０４へメッセージを送る。これは、ソース増幅器８０８の出力で、ディザリングされた光信号を生成する（即ち、根底のトラフィックがディザリングされる）。受光増幅モジュール８１８のフォトダイオード８２２は、ディザリングされて受け取られた光信号をディザ検出器８２４へ渡す（プロセスＤ）。次に、ディザ検出器８２４は、印加されたディザを抽出し、電気的な背面配線接続「ｅ」を介して、この情報をエージェント８００へ送る（プロセスＥ）。エージェント８００は情報を処理して、結果をユーザへ通知する。
【００５３】
増幅モジュール８１８は、更に、光増幅器８３２の励起コントローラ８３０へ取り消し信号を提供するディザ・コントローラ８２６を含む。次に、ディザは、干渉の弱めあいを利用して、受け取られた光信号から打ち消される。
【００５４】
最後に、ディザリング手法を使用して任意の光コンポーネントの間に接続管理を提供する一般的な例を、図９に示す。この実施形態では、現存するレーザ信号又は増幅器出力９０１が、第１の回路パック９０２で可変光減衰器（ｖａｒｉａｂｌｅ　ｏｐｔｉｃａｌ　ａｔｔｅｎｕａｔｏｒ；ＶＯＡ）９０８を使用してディザリングされ、次に、下流の回路パック９１８でＶＯＡ９３２によって検出及び除去される。ＶＯＡは、当技術分野で知られた標準デバイスであり、制御信号に応答して光信号の強度を減衰するために使用される。
【００５５】
第１の回路パック９０２は、ＶＯＡコントローラ９０６へ接続されたディザ・コントローラ９０４を含む。ＶＯＡコントローラ９０６は、制御信号をＶＯＡ９０８へ印加する。標準デバイスであるから、ＶＯＡ９０８の減衰は、ＶＯＡ９０８の前後に置かれた埋め込みタップ・カプラ９０３及び９０５、並びにＰＩＮダイオード検出器９０９及び９１０を使用して制御される。同様に、下流の回路パック９１８は、ディザ・コントローラ９２６へ接続されるディザ検出器９２４を含む。ディザ・コントローラ９２６は、ディザ取り消し信号をＶＯＡコントローラ９３０へ提供し、ＶＯＡコントローラ９３０は制御信号をＶＯＡ９３２へ供給する。ＶＯＡ９３２の減衰は、ＶＯＡ９３２の前後に置かれた埋め込みタップ・カプラ９２０及び９２１、並びにＰＩＮダイオード検出器９２２及び９２３を使用して制御される。回路パック９０２及び９１８は、光ファイバ９１２を介して接続される。光ファイバ９１２は、第１の回路パック９０２の上のポート９１４を、下流の回路パック９１８の上のポート９１６へ接続する。
【００５６】
この実施形態の接続管理は、前と同じように、ユーザが、前もって準備されるか推論された接続予想をエージェント９００へ入力することによって開始される。次に、エージェント９００は、背面配線接続「ｅ」を介して、第１の回路パック９０２のディザ・コントローラ９０４へメッセージを送る。しかし、この場合、ディザは、ＶＯＡコントローラ９０６からの減衰制御信号を、ディザ・コントローラ９０４からの小さな信号で変調することによって合波される。このディザの振幅は、出力タップ９０５で測定されたときの平均出力パワーの固定パーセンテージとして維持されてよい。
【００５７】
下流の回路パック９１８において、タップ・カプラ９２０は、第１の回路パック９０２から受け取られた光信号の一部分を、ＰＩＮダイオード９２２へ検出のために提供する。従って、第１の回路パック９０２に印加されたディザは、ディザ検出器９２４によって抽出され、電気的な背面配線接続「ｅ」を介してエージェントへ送られる。エージェント９００は、情報を処理し、結果（即ち、接続の検査結果）をユーザへ通知する。
【００５８】
ディザ検出器９２４によって抽出された信号の逆を使用して、ディザ取り消し信号がディザ・コントローラ９２６によって生成され、ＶＯＡコントローラ９３０へ印加され、干渉の弱めあいを利用してＶＯＡ９３０でディザが除去されることができる。更に、ディザの取り消しは、ＶＯＡ９３２の出力タップで動作しているディザ・コントローラ９２６によって確認されてよい。取り消し信号のディザ振幅は、平均入力パワーの固定パーセンテージとして制御され、その効果は出力タップを介して確認されてよいことに注意されたい。
【００５９】
選択される実現形態の方法に関係なく、本発明は、光システム内の全ての相互接続デバイス間で使用されることが非常に望ましい。専用通信チャネルの主な目的は、行なわれた接続を識別し、その接続が、事実上、所望の結合であることを検査することである。本発明は、所定の接続モデルに合致するか逸脱する接続を識別することができる。本発明は、更に、前もって準備された予想（所与のソフトウェア・リリースのための相互接続規則）のユーザ入力とは異なる接続及び／又は欠けた接続を識別することができる。
【００６０】
理想的な実現形態では、本発明は、システム内で行なわれた各々の光ファイバ接続に直接関連した双方向チャネルを提供する。このようにして、光学的に相互接続されたデバイスの間の光結合が容易に確立されてよい。もし単方向実現形態が選択されるならば、考慮されている２つのコンポーネントの間の完全な結合を確立するため、相互接続メッセージ（ポートＩＤメッセージ）を受け取る光コンポーネントは、「送信」コンポーネントへソフトウェア・データ・チャネルを開放することが必要である。どのような場合であれ、本発明は、処理エージェントがファイバ接続を完全に解決するように十分な情報を処理エージェントへ提供する。エージェントは、所望の接続が確立されたことを確認するため、スマート接続メッセージの送信側及び受信側と通信する必要がある。
【００６１】
本発明によって提供される光接続管理は、多くの利点を提供する。本発明は、完全なネットワーク・モデルを構成するプラットフォームを提供する（検査可能な接続に基づいて）。このプラットフォームは、監視、警報、故障の位置決め、設置時間の縮小、保守の容易化、及び現場でのシステム・アップグレードに多くのアプリケーションを有する。
【００６２】
例えば、本発明は、光ネットワークの効率的な設置又はアップグレードを容易にする。しかし、光接続はますます複雑になっているので、コンポーネントの間のファイバ接続は、設置及びアップグレードの誤りを生じやすい。なぜなら、設置担当者は、通常、２つの回路カードの間の結合を手作業で構成しなければならないからである。本発明は、エンド・ツー・エンドの光接続を検証し、これらが実際に所望の結合であることを検査するメカニズムを提供する。
【００６３】
更に、本発明は、光ネットワーク内で故障を位置決めする簡単なメカニズムを提供する。これは技術員のために簡単な手順を提供する。この手順がなければ、故障した接続のトラブルシューティングは非常に時間を取り、コスト高となるであろう。従って、確立された接続モデルは、非常に効果的なシステム・ラインナップ・アンド・テスト（ＳＬＡＴ）及び保守のツールとなることができる。
【００６４】
本発明の好ましい実施形態が説明及び図示されたが、添付のクレイムに限定された本発明の範囲から逸脱することなく、多くの修正、変形、及び適合化がなされてよいことは、当業者に明らかであろう。
【図面の簡単な説明】
【図１】典型的なネットワーク・エレメント・ベイの物理レイアウトを示す図である。
【図２ａ】回線線端装置（ＬＴＥ）サイトで普通に採用されるデュアル増幅器構成を示す図である。
【図２ｂ】２つの追加のブースタ増幅器を使用する図２ａのシステムのアップグレード・バージョンを示す図である。
【図３ａ】線路増幅器サイトで普通に採用されるデュアル増幅器構成を示す図である。
【図３ｂ】２つの追加のブースタ増幅器を使用する図３ａのシステムのアップグレード・バージョンを示す図である。
【図３ｃ】図３ｂのアップグレード・システムの中にミドステージ・アクセス（ｍｉｄ−ｓｔａｇｅ　ａｃｃｅｓｓ；ＭＳＡ）能力を含ませ、ＭＳＡコンポーネントが分散補償モジュール（ｄｉｓｐｅｒｓｉｏｎ　ｃｏｍｐｅｎｓａｔｉｏｎ　ｍｏｄｕｌｅ；ＤＣＭ）である場合の図を示す。
【図４】回線線端装置（ＬＴＥ）サイトにおける光増幅器製品の上位概念的な配置表現を示す図である。
【図５】増幅器回路パックとデュアルＯＳＣ回路パックとの間に光接続管理を提供する本発明に従った帯域内（ｉｎ−ｂａｎｄ）配列を示す図である。
【図６】増幅器回路パックとデュアルＯＳＣ回路パックとの間に光接続管理を提供する本発明に従った帯域外（ｏｕｔ−ｏｆ−ｂａｎｄ）配列を示す図である。
【図７】ディザリングを使用してＯＳＣ回路パックと増幅器回路パックとの間に光接続管理を提供する本発明の代替の帯域内実施形態を示す図である。
【図８】２つの増幅器製品の間に光接続管理を提供するため、図７に示される帯域内ディザリング手法の拡張を示す図である。
【図９】ディザリング・メカニズムとして可変光減衰器（ＶＯＡ）を使用して２つの回路パックの間で実現される本発明の一般的帯域内実施形態を示す図である。
【図１】
2004505542.tif 000003
【図２ａ】
2004505542.tif 000004
【図２ｂ】
2004505542.tif 000005
【図３ａ】
2004505542.tif 000006
【図３ｂ】
2004505542.tif 000007
【図３ｃ】
2004505542.tif 000008
【図４】
2004505542.tif 000009
【図５】
2004505542.tif 000010
【図６】
2004505542.tif 000011
【図７】
2004505542.tif 000012
【図８】
2004505542.tif 000013
【図９】
2004505542.tif 000014
【国際公開パンフレット】
2004505542.tif 000015
2004505542.tif 000016
2004505542.tif 000017
2004505542.tif 000018
2004505542.tif 000019
2004505542.tif 000020
2004505542.tif 000021
2004505542.tif 000022
2004505542.tif 000023
2004505542.tif 000024
2004505542.tif 000025
2004505542.tif 000026
2004505542.tif 000027
2004505542.tif 000028
2004505542.tif 000029
2004505542.tif 000030
2004505542.tif 000031
2004505542.tif 000032
2004505542.tif 000033
2004505542.tif 000034
2004505542.tif 000035
2004505542.tif 000036
2004505542.tif 000037
2004505542.tif 000038
2004505542.tif 000039
2004505542.tif 000040
2004505542.tif 000041
2004505542.tif 000042
2004505542.tif 000043
2004505542.tif 000044
2004505542.tif 000045
2004505542.tif 000046
2004505542.tif 000047
2004505542.tif 000048
2004505542.tif 000049
2004505542.tif 000050
2004505542.tif 000051
2004505542.tif 000052
2004505542.tif 000053
2004505542.tif 000054
2004505542.tif 000055
2004505542.tif 000056
2004505542.tif 000057
2004505542.tif 000058
【国際公開パンフレット（コレクトバージョン）】
2004505542.tif 000059
【国際調査報告】
2004505542.tif 000060
2004505542.tif 000061